(57)【要約】【課題】本発明の課題は、酪農家は即座に不適正な牛乳を破棄でき、また不適正になる前に温度を制御して破棄することを防止でき、また、適正管理のための温度履歴を収集・開示することが容易になる牛乳の温度監視システムおよび牛乳の温度監視方法を提供することにある。【解決手段】本発明は、現在の牛乳バルククーラ内の温度を測定し、または未来の温度をある評価関数によって予測し、その温度が適正温度でないと警告を発すると共に適正管理のための温度履歴を記録することを特徴とするものである。【選択図】    図１
2004344104.tif 000002
【特許請求の範囲】
【請求項１】
周囲の壁に牛乳搬入口および牛乳搬出口が設けられ牛乳を冷蔵して貯蔵する容器と、
前記容器の壁に設けられ前記容器内の温度を測定する温度センサと、
前記温度センサで測定した温度を表示する温度表示器と、
前記温度センサにより測定される温度が所定時間毎に入力され前回の測定温度と今回の測定温度より次回の測定温度を予想し、予想した次回の測定温度を規則により定められた最低許容温度および最高許容温度と比較し、予想した次回の測定温度が最低許容温度より低い場合、または予想した次回の測定温度が最高許容温度より高い場合に異常を表示するコンピュータと
を具備することを特徴とする牛乳の温度監視システム。
【請求項２】
予想する次回の測定温度ｔｎｅｘｔを評価式
ｔｎｅｘｔ＝ｔｎｏｗ＋ｒ（ｔｎｏｗ−ｔｏｌｄ）
より求めることを特徴とする請求項１記載の牛乳の温度監視システム。
但し、ｔｏｌｄは前回の測定温度、ｔｎｏｗは今回の測定温度、ｒは今回と次回の測定温度の差と、前回と今回の測定温度の差の比率を表すパラメータで、設定範囲は０≦ｒ≦１である。
【請求項３】
予想した次回の測定温度と比較する温度が、飲用乳の最低許容温度、飲用乳の最高許容温度、加工乳の最低許容温度、または加工乳の最高許容温度であることを特徴とする請求項１または２に記載の牛乳の温度監視システム。
【請求項４】
異常の表示として、「飲用乳温度注意」または「加工乳温度注意」、生産者、バルククーラ名、測定温度、測定日時、およびプロセスより構成される注意メッセージを表示することを特徴とする請求項３に記載の牛乳の温度監視システム。
【請求項５】
周囲の壁に牛乳搬入口および牛乳搬出口が設けられ牛乳を冷蔵して貯蔵する容器と、
前記容器の壁に設けられ前記容器内の温度を測定する温度センサと、
前記温度センサで測定した温度を表示する温度表示器と、
前記温度センサにより測定される温度が牛乳の生産工程毎に入力され、牛乳の生産工程毎に入力された測定温度を、牛乳の生産工程毎に規則により定められた最低許容温度および最高許容温度と比較し、生産者名、バルククーラ名、測定温度、測定日時、生産工程、および飲用乳温度正常／異常または加工乳温度正常／異常を記録するコンピュータと
を具備することを特徴とする牛乳の温度監視システム。
【請求項６】
牛乳の生産工程として、洗浄乾燥、第１回搾乳、第２回搾乳、第３回搾乳、第４回搾乳、保冷、集乳、終了の各工程を含むことを特徴とする請求項５に記載の牛乳の温度監視システム。
【請求項７】
牛乳の生産工程が第１回搾乳のときに搾乳開始後、所定時間経過したときの温度が所定温度まで降下しないとき、バルククーラの冷却開始スイッチを入れ忘れと判断し、警告を発生する手段を有することを特徴とする請求項６に記載の牛乳の温度監視システム。
【請求項８】
牛乳を冷蔵して貯蔵する容器内の温度を所定時間毎に自動測定し、前回の測定温度と、今回の測定温度より次回の測定温度を評価式より予想し、予想した次回の測定温度が最低許容温度より低い場合、または、予想した次回の測定温度が最高許容温度より高い場合に異常を表示することを特徴とする牛乳の温度監視方法。
【請求項９】
予想する次回の測定温度ｔｎｅｘｔを評価式
ｔｎｅｘｔ＝ｔｎｏｗ＋ｒ（ｔｎｏｗ−ｔｏｌｄ）
より求めることを特徴とする請求項８記載の牛乳の温度監視方法。
但し、ｔｏｌｄは前回の測定温度、ｔｎｏｗは今回の測定温度、ｒは今回と次回の測定温度の差と、前回と今回の測定温度の差の比率を表すパラメータで、設定範囲は０≦ｒ≦１である。
【請求項１０】
請求項８または９に記載の牛乳の温度監視方法において、予想した次回の測定温度と比較する温度が、飲用乳の最低許容温度、飲用乳の最高許容温度、加工乳の最低許容温度、または加工乳の最高許容温度であることを特徴とする牛乳の温度監視方法。
【請求項１１】
異常の表示として、「飲用乳温度注意」または「加工乳温度注意」、生産者、バルククーラ名、測定温度、測定日時、およびプロセスより構成される注意メッセージを表示することを特徴とする請求項１０に記載の牛乳の温度監視方法。
【請求項１２】
牛乳を冷蔵して貯蔵する容器内の温度を生産工程毎に自動測定し、牛乳の生産工程毎に測定された測定温度を、牛乳の生産工程毎に規則により定められた最低許容温度および最高許容温度と比較し、生産者名、バルククーラ名、測定温度、測定日時、生産工程、および飲用乳温度正常／異常または加工乳温度正常／異常を記録することを特徴とする牛乳の温度監視方法。
【請求項１３】
牛乳の生産工程として、洗浄乾燥、第１回搾乳、第２回搾乳、第３回搾乳、第４回搾乳、保冷、集乳、終了の各工程を含むことを特徴とする請求項１２に記載の牛乳の温度監視方法。
【請求項１４】
牛乳の生産工程が第１回搾乳のときに搾乳開始後、所定時間経過したときの温度が所定温度まで降下しないとき、バルククーラの冷却開始スイッチを入れ忘れと判断し、警告を発生することを特徴とする請求項１３に記載の牛乳の温度監視方法。
【発明の詳細な説明】
【０００１】
【発明の属する技術分野】
本発明は、食品の安全管理、特に牛乳の安全管理にＩＴ技術を適用する分野に属し、また消費者からの安全衛生に対する問い合わせに対し、コンピュータにより牛乳の生産工程と温度を記録することにより、適正な生産工程を証明することができるため安全衛生管理の分野にも属する牛乳の温度監視システムおよび牛乳の温度監視方法に関する。
【０００２】
【従来の技術】
牛乳を冷蔵して貯蔵する容器（バルククーラ）は、牛乳を冷蔵する施設である。搾乳された直後の牛乳は牛の体温（約３６℃）に近い温度であり、雑菌が発生しやすい。できるだけ早く雑菌が発生しにくく、かつ凍らない温度に冷蔵しなければならない。この条件を満たす温度は食品衛生上の規則では、保冷時では０℃から４℃の範囲が適正温度と定められている。バルククーラは搾乳後最初に牛乳を冷蔵する施設であるため、牛乳の安全衛生管理上重要な施設である。
【０００３】
図２は従来の搾乳システムを示す構成説明図である。図におて、１０１は牛、１０２は乳頭カップ、１０３はミルククロー、１０４はパルセータ（脈動器）、１０５は乳受け容器（ミルクレシーバージャー）、１０７はトラップ、１０８は真空タンク、１０９は真空ポンプ、１１０は真空パイプ、１１１は送乳パイプである。
【０００４】
前記真空ポンプ１０９は真空パイプ１１０により真空タンク１０８に接続され、真空タンク１０８は真空パイプ１１０によりトラップ１０７に接続される。トラップ１０７は真空パイプ１１０により乳受け容器１０５に接続されると共にパルセータ１０４を介してミルククロー１０３に接続される。ミルククロー１０３は送乳パイプ１１１により乳受け容器１０５に接続され、乳受け容器１０５は送乳パイプ１１１によりバルククーラ２に接続される。前記ミルククロー１０３には乳頭カップ１０２が設けられる。
【０００５】
すなわち、乳頭カップ１０２が牛１０１に接続されることにより、乳頭カップ１０２で搾乳された牛乳はミクルクロー１０３から送乳パイプ１１１により乳受け容器１０５を介してパルククーラ２に注入される。乳頭カップ１０２は複数組み用意されており、同時に複数頭の牛から搾乳することができる。
【０００６】
現在のバルククーラ２は、温度の自動制御が施され、通常は牛乳を適正温度に保冷する機能が具備されている。しかし、温度の自動制御が正常に作動しない以下の（１）〜（４）の場合が存在する。
【０００７】
（１）バルククーラの冷蔵スイッチの入れ忘れ
（２）停電
（３）牛乳の過剰注入による温度の上昇
（４）温度の自動制御機構の異常動作。
【０００８】
【発明が解決しようとする課題】
温度の自動制御が正常に作動しない場合が存在するため、温度の自動制御機構とは、別に牛乳の温度測定を行い、２４時間体制で食品衛生上の規則を満たしているか否かを監視する必要が生じる。しかし、酪農家が人手作業で前記監視を行うのは不可能であり、現状では自動監視システムは存在しない。
【０００９】
生産者段階に導入されつつあるＨＡＣＣＰにおいては、監視方法は目視検査、温度記録は検査ごとに記録と記載されており、前記のような２４時間体制の監視は技術的に確立されていない状況である。酪農家が人手作業で前記監視を行うのは不可能であり、現状では自動監視システムは存在しない。このため自動監視システムの作成は急務である。
【００１０】
適正温度は、牛乳の生産工程によって異なる。例えば第１回目の搾乳では牛の体温に近い牛乳を、搾乳後３０分以内に０℃から４℃の範囲に冷蔵しなければならない、第２〜４回目の搾乳では第１回目の搾乳条件にさらに、搾乳中は１０℃を超えないという条件が付加される。飲用乳と加工乳（チーズ、バターの原料）の違いによっても適正温度は異なる。また将来的に、適正温度が変更される可能性もある。よって全ての適正温度を基準として人手監視することは実際上不可能である。
【００１１】
牛乳の温度が規則により定められた温度範囲から外れることが予想される場合、牛乳の温度を適正に保つため酪農家に即座に通報しなければならない。しかし、現状ではこのような通報システムは存在しない。このような自動通報システムの作成は急務である。
【００１２】
消費者から牛乳の生産の衛生上の適正管理の証拠を要求された場合、現状では、温度履歴を記録していないため、証明することが不可能である。
【００１３】
本発明は上記の事情に鑑みてなされたもので、現在の牛乳バルククーラ内の温度を測定し、または未来の温度をある評価関数によって予測し、その温度が適正温度でないと警告を発することにより、酪農家は即座に不適正な牛乳を破棄でき、また不適正になる前に温度を制御して破棄することを防止でき、また、適正管理のための温度履歴を収集・開示することが容易になる牛乳の温度監視システムおよび牛乳の温度監視方法を提供することを目的とする。
【００１４】
【課題を解決するための手段】
上記目的を達成するために本発明の牛乳の温度監視システムは、周囲の壁に牛乳搬入口および牛乳搬出口が設けられ牛乳を冷蔵して貯蔵する容器と、前記容器の壁に設けられ前記容器内の温度を測定する温度センサと、前記温度センサで測定した温度を表示する温度表示器と、前記温度センサにより測定される温度が所定時間毎に入力され前回の測定温度と今回の測定温度より次回の測定温度を予想し、予想した次回の測定温度を規則により定められた最低許容温度および最高許容温度と比較し、予想した次回の測定温度が最低許容温度より低い場合、または予想した次回の測定温度が最高許容温度より高い場合に異常を表示するコンピュータとを具備することを特徴とするものである。
【００１５】
また本発明は、前記牛乳の温度監視システムにおいて、予想する次回の測定温度ｔｎｅｘｔを評価式
ｔｎｅｘｔ＝ｔｎｏｗ＋ｒ（ｔｎｏｗ−ｔｏｌｄ）
より求めることを特徴とするものである。但し、ｔｏｌｄは前回の測定温度、ｔｎｏｗは今回の測定温度、ｒは今回と次回の測定温度の差と、前回と今回の測定温度の差の比率を表すパラメータで、設定範囲は０≦ｒ≦１である。
【００１６】
また本発明は、前記牛乳の温度監視システムにおいて、予想した次回の測定温度と比較する温度が、飲用乳の最低許容温度、飲用乳の最高許容温度、加工乳の最低許容温度、または加工乳の最高許容温度であることを特徴とするものである。
【００１７】
また本発明は、前記牛乳の温度監視システムにおいて、異常の表示として、「飲用乳温度注意」または「加工乳温度注意」、生産者、バルククーラ名、測定温度、測定日時、およびプロセスより構成される注意メッセージを表示することを特徴とするものである。
【００１８】
また本発明の温度監視システムは、周囲の壁に牛乳搬入口および牛乳搬出口が設けられ牛乳を冷蔵して貯蔵する容器と、前記容器の壁に設けられ前記容器内の温度を測定する温度センサと、前記温度センサで測定した温度を表示する温度表示器と、前記温度センサにより測定される温度が牛乳の生産工程毎に入力され、牛乳の生産工程毎に入力された測定温度を、牛乳の生産工程毎に規則により定められた最低許容温度および最高許容温度と比較し、生産者名、バルククーラ名、測定温度、測定日時、生産工程、および飲用乳温度正常／異常または加工乳温度正常／異常を記録するコンピュータとを具備することを特徴とするものである。
【００１９】
また本発明は、前記牛乳の温度監視システムにおいて、牛乳の生産工程として、洗浄乾燥、第１回搾乳、第２回搾乳、第３回搾乳、第４回搾乳、保冷、集乳、終了の各工程を含むことを特徴とするものである
また本発明は、前記牛乳の温度監視システムにおいて、牛乳の生産工程が第１回搾乳のときに搾乳開始後、所定時間経過したときの温度が所定温度まで降下しないとき、バルククーラの冷却開始スイッチを入れ忘れと判断し、警告を発生する手段を有することを特徴とするものである。
【００２０】
また本発明の牛乳の温度監視方法は、牛乳を冷蔵して貯蔵する容器内の温度を所定時間毎に自動測定し、前回の測定温度と、今回の測定温度より次回の測定温度を評価式より予想し、予想した次回の測定温度が最低許容温度より低い場合、または、予想した次回の測定温度が最高許容温度より高い場合に異常を表示することを特徴とする。
【００２１】
また本発明は、前記牛乳の温度監視方法において、予想する次回の測定温度ｔｎｅｘｔを評価式
ｔｎｅｘｔ＝ｔｎｏｗ＋ｒ（ｔｎｏｗ−ｔｏｌｄ）
より求めることを特徴とする。但し、ｔｏｌｄは前回の測定温度、ｔｎｏｗは今回の測定温度、ｒは今回と次回の測定温度の差と、前回と今回の測定温度の差の比率を表すパラメータで、設定範囲は０≦ｒ≦１である。
【００２２】
また本発明は、前記牛乳の温度監視方法において、予想した次回の測定温度と比較する温度が、飲用乳の最低許容温度、飲用乳の最高許容温度、加工乳の最低許容温度、または加工乳の最高許容温度であることを特徴とする。
【００２３】
また本発明は、前記牛乳の温度監視方法において、異常の表示として、「飲用乳温度注意」または「加工乳温度注意」、生産者、バルククーラ名、測定温度、測定日時、およびプロセスより構成される注意メッセージを表示することを特徴とする。
【００２４】
また本発明の牛乳の温度監視方法は、牛乳を冷蔵して貯蔵する容器内の温度を生産工程毎に自動測定し、牛乳の生産工程毎に測定された測定温度を、牛乳の生産工程毎に規則により定められた最低許容温度および最高許容温度と比較し、生産者名、バルククーラ名、測定温度、測定日時、生産工程、および飲用乳温度正常／異常または加工乳温度正常／異常を記録することを特徴とする。
【００２５】
また本発明は、前記牛乳の温度監視方法において、牛乳の生産工程として、洗浄乾燥、第１回搾乳、第２回搾乳、第３回搾乳、第４回搾乳、保冷、集乳、終了の各工程を含むことを特徴とする。
【００２６】
また本発明は、前記牛乳の温度監視方法において、牛乳の生産工程が第１回搾乳のときに搾乳開始後、所定時間経過したときの温度が所定温度まで降下しないとき、バルククーラの冷却開始スイッチを入れ忘れと判断し、警告を発生することを特徴とする。
【００２７】
【発明の実施の形態】
以下図面を参照して本発明の実施の形態例を詳細に説明する。
【００２８】
図１は本発明の実施形態例に係る牛乳の温度管理システムを示す構成説明図である。図１に示すように、牛乳貯蔵室１内にはバルククーラ２が設けられる。バルククーラ２は外壁３および内壁５で構成された外囲器よりなり、外壁３と内壁５の間には冷媒４が流入される。前記外壁３および内壁５で構成された外囲器の上部には牛乳搬入口９が外壁３、内壁５および冷媒４を貫通して設けられ、牛乳搬入口９の上部には牛乳注入口の蓋１２が取り付けられる。前記外壁３および内壁５で構成された外囲器の側面下部には牛乳搬出口１０が外壁３、内壁５および冷媒４を貫通して設けられ、牛乳搬出口１０の先端部には牛乳搬出口の蓋１３が設けられる。前記牛乳搬出口１０には牛乳搬出口の開閉弁１１が設けられ、この開閉弁１１には開閉弁の手動操作器２７が設けられる。前記バルククーラ内壁５の側面冷媒４側には温度センサ８が取り付けられ、この温度センサ８は温度表示器７に接続されると共にコンピュータ１５に接続される。このコンピュータ１５は居室または事務室１４内に設置される。牛乳搬入口９からバルククーラ内壁５内に注入、貯蔵された牛乳６は冷蔵される。温度センサ８はバルククーラ内壁５の牛乳６側でないほうに設置され、牛乳６の温度を測定する。測定温度は温度センサ８と接続した温度表示器７により表示され、人間が数字として読取ることができる。温度センサ８はコンピュータ１５と接続され、コンピュータ１５により制御される。
【００２９】
バルククーラ内壁５に取り付け牛乳の温度を測定する温度センサ８を測定用温度センサと呼ぶ。測定用温度センサ８をバルククーラ内壁５内の牛乳６側に直接挿入しないのは測定用温度センサ８の汚れが牛乳６に移動することを防止するためである。
【００３０】
測定用温度センサ８はコンピュータ１５で制御する。このコンピュータ１５を制御用コンピュータと呼ぶ。制御用コンピュータ１５は内部に時計をもち、所定時間おきに温度センサ８を動作させ温度を測定し、測定温度を制御用コンピュータ１５内部に取りこむ。制御用コンピュータ１５内部に、生産工程の入力プログラムを用意して、牛乳の生産工程を人手入力できるようにする。人手入力は新しい生産工程が開始される毎に入力する。同一の生産工程が継続する場合には人手入力は行わない。
【００３１】
生産工程毎に規則で定められている適正温度範囲を入力する。温度測定前にパラメータとして生産工程毎の最低許容温度と最高許容温度を人手で設定する。ソフトウェア処理により、測定用温度センサから取りこんだ牛乳の測定温度と一回前の測定温度より、評価式を用いて次回の測定温度を予測する。この温度を予測温度とよぶ。予測温度と人手により入力された生産工程の最低許容温度と最高許容温度を比較する。予測温度が最低許容温度と最高許容温度の間にあれば、牛乳は次回測定においても適正温度と予測し、注意は発生しない。予測温度が最低許容温度と最高許容温度の間にない場合、牛乳は次回測定で適正温度でないとみなし、注意を発生する。
【００３２】
以上の処理方法において警報、注意の有無に関わらず測定履歴をすべてコンピュータ１５内部に記録する。測定履歴はバルククーラ名、測定温度、生産工程、異常警報の有無、異常警報の内容、注意の有無、注意の内容により構成される。バルククーラ名はバルククーラの識別のために必要であり、１農家に複数のバルククーラがあるときには必須である。
【００３３】
生産工程が第１回目の搾乳工程の場合には、発生しやすい事故であるバルククーラの冷却スイッチ入れ忘れを防止するための監視機能を設ける。搾乳開始後所定時間経過したときの温度が所定温度まで降下しないとき、バルククーラの冷却開始スイッチを入れ忘れと判断し、警告を発生する。冷却スイッチ入れ忘れ防止のための基準とする搾乳監視後の監視時間は基準時間パラメータ、温度については基準温度パラメータとして人手設定するものとする。
【００３４】
図３は本発明の実施形態例に係る温度監視手順を示すフロチャートである。ステップＳ０００より温度監視はスタートする。ステップＳ０１０において基準温度パラメータを人手により設定する。基準温度パラメータの詳細設定手順を図４のステップＳ０１２に示す。ステップＳ０１１は開始、ステップＳ０１３は終了を示す。基準温度パラメータは最低許容温度と最高許容温度により構成される。それぞれは飲用乳用と加工乳用に分かれる。さらに基準温度は生産工程（洗浄乾燥、第１回搾乳、第２回搾乳、第３回搾乳、第４回搾乳、保冷、集乳）に依存するため生産工程毎に基準温度パラメータを用意する。
【００３５】
また生産工程が第１回路の搾乳のときには、バルククーラの冷却スイッチの入れ忘れ監視に使用する時間を基準パラメータとして、温度を基準温度パラメータとして用意する。
【００３６】
ステップＳ０２０により基準パラメータを人手により設定する。基準パラメータの詳細設定手順を図５（ａ）のステップＳ０２２に示す。ステップＳ０２１は開始、ステップＳ０２３は終了を示す。ｒは後ほど説明する次回測定の予測温度を評価するためのパラメータである。設定範囲は０≦ｒ≦１とする。今回と次回の測定温度の差と、前回と今回の測定温度の差の比率を表す。設定値は経験によってもいいし、なんらかの理論を基準に演繹したものでもよい。
【００３７】
ｍは後ほど説明するバルククーラ冷却スイッチ入れ忘れ防止のための監視時間を表すパラメータである。第１回目搾乳開始後の時間を表す。
【００３８】
ステップＳ０３０では測定温度が前回の測定温度ｔｏｌｄである。
【００３９】
ステップＳ０４０により一定時間毎に測定温度センサを動作させ、温度測定を行う。ステップＳ０５０では測定温度が今回の測定温度ｔｎｏｗであり、ステップＳ０５５では測定時刻が今回の測定時刻ｔｉｍｅｎｏｗである。一定時間が経過しない場合（指定時刻に達しない場合）、温度測定は行わない。
【００４０】
ステップＳ０６０により前回と異なる牛乳の生産工程を開始する場合には、ステップＳ０７０で生産工程を選択し、コンピュータに入力する。生産工程は洗浄乾燥、第１回搾乳、第２回搾乳、第３回搾乳、第４回搾乳、保冷、集乳、終了からどれかひとつを選択可能である。選択した工程は変数ｐｒｏｃｅｓｓに代入される。前回と同じ生産工程を実施する場合には生産工程の選択はおこなわない。変数ｐｒｏｓｅｓｓは前回の測定と同値である。
【００４１】
ステップＳ０８０でｐｒｏｃｅｓｓが第１回搾乳のときは、ステップＳ０９０で現在の時刻ｔｉｍｅｎｏｗが第１回目搾乳開始時刻ｔｉｍｅｍ１ｓｔａｒｔである。
【００４２】
生産工程を判断して、温度監視をするときの基準温度パラメータを設定する。洗浄乾燥工程の場合には、ステップＳ１００により分岐処理され、基準温度パラメータとして、ステップＳ１１０にて飲用乳洗浄乾燥最低許容温度（ｔＤｍｉｎ←ｔＤｗ，ｍｉｎ）、飲用乳洗浄乾燥最高許容温度（ｔＤｍｉｎ←ｔＤｗ，ｍａｘ）、ステップＳ１２０にて加工乳洗浄乾燥最低許容温度（ｔＰｍｉｎ←ｔＰｗ，ｍｉｎ）、加工乳洗浄乾燥最高許容温度（ｔＰｍｉｎ←ｔＰｗ，ｍａｘ）が採用される。
【００４３】
第１回搾乳の場合にはステップＳ２００により分岐処理され、ステップＳ２１０にて飲用乳第１回搾乳最低許容温度（ｔＤｍｉｎ←ｔＤｍ１，ｍｉｎ）、飲用乳第１回搾乳最高許容温度（ｔＤｍｉｎ←ｔＤｍ１，ｍａｘ）、ステップＳ２２０にて加工乳第１回搾乳最低許容温度（ｔＰｍｉｎ←ｔＰｍ１，ｍｉｎ）、加工乳第１回搾乳最高許容温度（ｔＰｍｉｎ←ｔＰｍ１，ｍａｘ）が採用される。ステップＳ２３０にてバルククーラの冷却スイッチが入れ忘れられているか否かが監視される。図５（ｂ）に示すように、ステップＳ２３２にて測定時刻が第１回目搾乳開始時刻ｔｉｍｅｍ１ｓｔａｒｔからｍｓｗｉｔｃｈ時間経過しているか否かが判断される。ｍｓｗｉｔｃｈ時間経過している場合にはステップＳ２３３に処理を移す。ステップＳ２３３で現在の温度ｔｎｏｗがバルククーラの冷却スイッチ入れ忘れ防止判断基準温度ｔｓｗｉｔｃｈまで降下していない場合には処理ステップＳ２３４に移り、冷却スイッチ入れ忘れ警告を発生する。警告は「バルククーラ冷却スイッチ入れ忘れ」、農家名、バルククーラ名、測定温度、測定日時より構成される。ステップＳ２３１は開始、ステップＳ２３５は終了を示す。
【００４４】
第２回搾乳の場合にはステップＳ３００により分岐処理され、ステップＳ３１０にて飲用乳第２回搾乳最低許容温度（ｔＤｍｉｎ←ｔＤｍ２，ｍｉｎ）、飲用乳第２回搾乳最高許容温度（ｔＤｍｉｎ←ｔＤｍ２，ｍａｘ）、ステップＳ３２０にて加工乳第２回搾乳最低許容温度（ｔＰｍｉｎ←ｔＰｍ２，ｍｉｎ）、加工乳第２回搾乳最高許容温度（ｔＰｍｉｎ←ｔＰｍ２，ｍａｘ）が採用される。
【００４５】
第３回搾乳の場合にはステップＳ４００により分岐処理され、ステップＳ４１０にて飲用乳第３回搾乳最低許容温度（ｔＤｍｉｎ←ｔＤｍ３，ｍｉｎ）、飲用乳第３回搾乳最高許容温度（ｔＤｍｉｎ←ｔＤｍ３，ｍａｘ）、ステップＳ４２０にて加工乳第３回搾乳最低許容温度（ｔＰｍｉｎ←ｔＰｍ３，ｍｉｎ）、加工乳第３回搾乳最高許容温度（ｔＰｍｉｎ←ｔＰｍ３，ｍａｘ）が採用される。
【００４６】
第４回搾乳の場合にはステップＳ５００により分岐処理され、ステップＳ５１０にて飲用乳第４回搾乳最低許容温度（ｔＤｍｉｎ←ｔＤｍ４，ｍｉｎ）、飲用乳第４回搾乳最高許容温度（ｔＤｍｉｎ←ｔＤｍ４，ｍａｘ）、ステップＳ５２０にて加工乳第４回搾乳最低許容温度（ｔＰｍｉｎ←ｔＰｍ４，ｍｉｎ）、加工乳第４回搾乳最高許容温度（ｔＰｍｉｎ←ｔＰｍ４，ｍａｘ）が採用される。
【００４７】
保冷の場合にはステップＳ６００により分岐処理され、ステップＳ６１０にて飲用乳保冷最低許容温度（ｔＤｍｉｎ←ｔＤｓ，ｍｉｎ）、飲用乳保冷最高許容温度（ｔＤｍｉｎ←ｔＤｓ，ｍａｘ）、ステップＳ６２０にて加工乳保冷最低許容温度（ｔＰｍｉｎ←ｔＰｓ，ｍｉｎ）、加工乳保冷最高許容温度（ｔＰｍｉｎ←ｔＰｓ，ｍａｘ）が採用される。
【００４８】
集乳の場合にはステップＳ７００により分岐処理され、ステップＳ７１０にて飲用乳集乳最低許容温度（ｔＤｍｉｎ←ｔＤｃ，ｍｉｎ）、飲用乳集乳最高許容温度（ｔＤｍｉｎ←ｔＤｃ，ｍａｘ）、ステップＳ７２０にて加工乳集乳最低許容温度（ｔＰｍｉｎ←ｔＰｃ，ｍｉｎ）、加工乳集乳最高許容温度（ｔＰｍｉｎ←ｔＰｃ，ｍａｘ）が採用される。
【００４９】
温度測定を終了させる場合には、ステップＳ８００により分岐処理され、ステップＳ３０００でバルククーラ温度監視システムは終了する。
【００５０】
基準温度パラメータが採用されたのち、ステップＳ１０００の温度異常検出通報ルーチンに処理は進む。詳細処理手順を図６（ａ）に示す。ステップＳ１０１０は開始、ステップＳ１１４０は終了を示す。ステップＳ１１００にて、前回の測定温度ｔｏｌｄと今回の測定温度ｔｎｏｗにより次回の予測測定温度ｔｎｅｘｔが評価式
ｔｎｅｘｔ＝ｔｎｏｗ＋ｒ（ｔｎｏｗ−ｔｏｌｄ）
により表される。この値を予測温度と呼ぶ。予測温度が、飲用乳最低許容温度ｔＤｍｉｎと飲用乳最高許容温度ｔＤｍａｘと比較される。予測温度がこれらの間の値でない場合には、ステップＳ１１１０の注意メッセージ１を発生する。注意メッセージ１の詳細は図６（ｂ）のステップＳ１１１２である。メッセージは「飲用乳温度注意」、農家名、バルククーラ名、測定温度、測定日時、ｐｒｏｃｅｓｓにより構成される。ステップＳ１１１１は開始、ステップＳ１１１３は終了を示す。
【００５１】
ステップＳ１１２０にて、前回の測定温度ｔｏｌｄと今回の測定温度ｔｎｏｗにより次回の予測測定温度ｔｎｅｘｔが評価式
ｔｎｅｘｔ＝ｔｎｏｗ＋ｒ（ｔｎｏｗ−ｔｏｌｄ）
により表される。予測温度が、加工乳最低許容温度ｔＰｍｉｎと加工乳最高許容温度ｔＰｍａｘと比較される。予測温度がこれらの間の値でない場合には、ステップＳ１１３０の注意メッセージ２を発生する。注意メッセージ２の詳細は図６（ｃ）のステップＳ１１３２である。メッセージは「加工乳温度注意」、農家名、バルククーラ名、測定温度、測定日時、ｐｒｏｃｅｓｓにより構成される。ステップＳ１１３１は開始、ステップＳ１１３３は終了を示す。
【００５２】
ステップＳ２０１０にて測定温度を変数ｔｏｌｄに格納し、ステップＳ０４０に処理を移す。
【００５３】
なお、本発明は、上記実施形態例そのままに限定されるものではなく、実施段階ではその要旨を逸脱しない範囲で構成要素を変形して具体化できる。また、上記実施形態例に開示されている複数の構成要素の適宜な組み合せにより種々の発明を形成できる。例えば、実施形態例に示される全構成要素から幾つかの構成要素を削除してもよい。更に、異なる実施形態例に亘る構成要素を適宜組み合せてもよい。
【００５４】
【発明の効果】
以上述べたように本発明によれば、バルククーラ内の牛乳の温度が適正温度でない場合、酪農家は即座に通報をうけることができる。このため不適正な牛乳のみを廃棄できる。新しく搾乳した牛乳を不適正な牛乳に混入することを防止できる。
【００５５】
さらに次回測定温度を予測しているため、牛乳が不適正になるまえに、バルククーラの温度を制御することにより、牛乳の廃棄を防止できる可能性がある。
【図面の簡単な説明】
【図１】本発明の実施形態例に係る牛乳の温度管理システムを示す構成説明図である。
【図２】従来の搾乳システムを示す構成説明図である。
【図３】本発明の実施形態例に係る温度監視手順を示すフロチャートである。
【図４】本発明の実施形態例に係る基準温度パラメータ設定手順を示すフロチャートである。
【図５】（ａ）は本発明の実施形態例に係る基準パラメータ設定手順を示すフロチャート、（ｂ）は本発明の実施形態例に係る冷却スイッチ入忘防止監視手順を示すフロチャートである。
【図６】（ａ）は本発明の実施形態例に係る温度異常検出通報ルーチンを示すフロチャート、（ｂ）は本発明の実施形態例に係る注意メッセージ１を示すフロチャート、（ｃ）は本発明の実施形態例に係る注意メッセージ２を示すフロチャートである。
【符号の説明】
１    牛乳貯蔵室
２    バルククーラ（牛乳を冷蔵して貯蔵する容器）
３    バルククーラ外壁
４    冷媒
５    バルククーラ内壁
６    牛乳
７    温度表示器
８    温度センサ
９    牛乳搬入口
１０    牛乳搬出口
１１    牛乳搬出口の開閉弁
１２    牛乳注入口の蓋
１３    牛乳搬出口の蓋
１４    居室または事務室
１５    コンピュータ
２７    開閉弁の手動操作器
１０１    牛
１０２    乳頭カップ
１０３    ミルククロー
１０４    パルセータ（脈動器）
１０５    乳受け容器（ミルクレシーバージャー）
１０７    トラップ
１０８    真空タンク
１０９    真空ポンプ
１１０    真空パイプ
１１１    送乳パイプ
【図１】
2004344104.tif 000003
【図２】
2004344104.tif 000004
【図３】
2004344104.tif 000005
【図４】
2004344104.tif 000006
【図５】
2004344104.tif 000007
【図６】
2004344104.tif 000008